(57)【要約】【課題】  番組表がなくても番組の内容を示す番組情報を作成することができると共に、番組の内容を視覚的に容易に把握することができ、また、より精度の高い番組情報を作成できる番組情報作成装置を提供することにある。【解決手段】  放送局等の配信手段から送信される映像を受信する受信手段と、受信した映像を所定タイミングの静止画又は所定タイミングで所定期間の動画にして抜き出してサンプリング情報とし、サンプリング情報及びサンプリング情報に係る該配信手段の情報並びに受信時間帯の情報から番組情報を作成する管理手段と、番組情報を蓄積する蓄積手段と、蓄積された番組情報を出力する出力手段とを備え、過去に配信された映像を元に番組情報を作成することを特徴とする。【選択図】図１
2005184530.tif 000002
【特許請求の範囲】
【請求項１】
放送局等の配信手段から送信される映像を受信する受信手段と、
該受信した映像を所定タイミングの静止画又は所定タイミングで所定期間の動画にして抜き出してサンプリング情報とし、該サンプリング情報及び該サンプリング情報に係る該配信手段の情報並びに受信時間帯の情報から番組情報を作成する管理手段と、
該番組情報を蓄積する蓄積手段と、
該蓄積された番組情報を出力する出力手段とを備え、
過去に配信された該映像を元に該番組情報を作成することを特徴とする番組情報作成装置。
【請求項２】
前記管理手段のタイミング及び期間を管理する設定値管理手段を備え、
前記受信手段で受信した映像や前記サンプリング情報に係る日付、チャンネル等の番組要素情報を元に該タイミング及び期間を定めることを特徴とする請求項１記載の番組情報作成装置。
【請求項３】
前記管理手段が、同一配信手段で同一時間帯の複数の番組情報を元に、所望の番組情報を作成することを特徴とする請求項１又は請求項２記載の番組情報作成装置。
【請求項４】
前記番組情報と同一配信手段で同一時間帯の未来の番組要素情報とを結合して、予測番組情報を作成することを特徴とする請求項１〜請求項３のいずれかに記載の番組情報作成装置。
【発明の詳細な説明】
【技術分野】
【０００１】
本発明は、放送等により配信された番組の映像から番組情報を作成する番組情報作成装置に関する。
【背景技術】
【０００２】
従来より、放送等により配信された番組の内容をより容易に把握するために、新聞や雑誌等に掲載されている日時、チャンネル、番組タイトル等のテキスト情報からなる番組表が用いられてきた。また、デジタル方式の放送網やインターネット網の整備に伴い、電子的な番組表であるＥＰＧ（Electric Program Guide）が普及している。ユーザーが放送等により配信された番組の内容を把握するには、これら従来のテキスト情報である番組表を参照することにより行っている。また、将来放送される番組の内容を把握する場合にも、上述の番組表が用いられてきた。
尚、これらの先行技術は、文献公知に係るものでないため、記載すべき先行技術文献情報はない。
【発明の開示】
【発明が解決しようとする課題】
【０００３】
しかしながら、従来の番組表は、テキスト情報であり、文字から番組の内容の把握することは困難である。
また、新聞や雑誌、インターネットへの接続環境等がない場合には、番組表の入手すらできず、番組の内容の把握ができない。
【０００４】
また、既に提供された番組表通りに番組が放送されなかった場合には、入手した番組表から実際に放送された番組の内容を把握することはできない。
【０００５】
本発明は、このような事情に鑑みてなされたもので、番組表がなくても番組の内容を示す番組情報を作成することができると共に、番組の内容を視覚的に容易に把握することができ、また、より精度の高い番組情報を作成できる番組情報作成装置を提供することにある。
【課題を解決するための手段】
【０００６】
請求項１記載の番組情報作成装置は、放送局等の配信手段から送信される映像を受信する受信手段と、受信した映像を所定タイミングの静止画又は所定タイミングで所定期間の動画にして抜き出してサンプリング情報とし、サンプリング情報及びサンプリング情報に係る該配信手段の情報並びに受信時間帯の情報から番組情報を作成する管理手段と、番組情報を蓄積する蓄積手段と、蓄積された番組情報を出力する出力手段とを備え、過去に配信された映像を元に番組情報を作成することを特徴とする。
【０００７】
請求項２記載の番組情報作成装置は、管理手段のタイミング及び期間を管理する設定値管理手段を備え、受信手段で受信した映像やサンプリング情報に係る日付、チャンネル等の番組要素情報を元にタイミング及び期間を定めることを特徴とする。
【０００８】
請求項３記載の番組情報作成装置は、管理手段が、同一配信手段で同一時間帯の複数の番組情報を元に、所望の番組情報を作成することを特徴とする。
【０００９】
請求項４記載の番組情報作成装置は、番組情報と同一配信手段で同一時間帯の未来の番組要素情報とを結合して、予測番組情報を作成することを特徴とする。
【発明の効果】
【００１０】
請求項１の発明によれば、過去に配信された映像を元に番組情報を作成することから、番組表がなくても番組の内容を示す番組情報を作成することができると共に、静止画又は動画によるサンプリング情報から番組の内容を視覚的に容易に把握することができる。
また、実際に配信された映像を用いるため、番組表通りに番組が放送されなかった場合でも、実際に放送された番組の内容を正確に把握することができる。
【００１１】
請求項２の発明によれば、映像を抜き出すタイミングや期間を番組要素情報から定めることができることで、ユーザーがタイミングや期間を設定する必要がなく、操作が容易である。
【００１２】
請求項３の発明によれば、同一配信手段で同一時間帯の複数の番組情報を元に、所望の番組情報を作成することで、過去の放送でユーザーが望まない臨時ニュース等の変則的な番組情報を排除し、所望の番組情報のみを精度よく作成することができる。
【００１３】
請求項４の発明によれば、過去に配信された映像の番組情報と同一配信手段で同一時間帯の未来の番組要素情報とを結合して、予測番組情報を作成している。このため、番組表がなくても将来配信されるであろう放送の番組情報（予測番組情報）を作成することができると共に、静止画又は動画によるサンプリング情報から、これから配信されるであろう内容を視覚的に容易に予測することができる。
【発明を実施するための最良の形態】
【００１４】
以下、本発明の形態について図面を参照しながら具体的に説明する。本発明の形態における番組情報作成装置は、放送等により配信された番組の映像から番組情報を作成するものである。従来の新聞や雑誌等の番組表やＥＰＧ等の電子的な番組表は、放送等を受信する側が作成したものではない。これに対し、本発明の形態で説明する番組情報作成装置は、装置側で独自に番組情報を作成し、その作成した番組情報を利用可能とするものである。
【実施例１】
【００１５】
図１は、本発明に係る番組情報作成装置の第１の実施例の構成を示す構成図、図２は、同番組情報作成装置の動作を示す説明図である。
【００１６】
図において、本実施例の番組情報作成装置１は、放送等を受信する受信手段である受信部２５〜２７と、装置全体の管理を行い番組情報を作成する管理手段である管理部５と、作成された番組情報を蓄積する蓄積手段であるメモリ１０と、蓄積された番組情報を出力等する出力手段であり、番組情報作成装置１の外部から入力するための外部インタフェース（図中では外部Ｉ／Ｆと記載）２０とからなる。また、番組情報作成装置１は、ユーザーが、直接装置に入力する入力手段や動作状況等を表示する表示手段等のユーザーインタフェース（図中ではユーザーＩ／Ｆと記載）２１を備えている。また、管理部５で使用する各種の設定値を管理する設定値管理部１５や、管理部５で使用する時刻情報を管理する時刻管理部２２を備えている。
【００１７】
受信部２５〜２７は、地上波放送（アナログ方式、デジタル方式いずれをも含む）、ケーブルテレビ、衛星放送等の放送形式の映像を受信できる手段である。但し、映像であれば放送形式により受信されるものに限らず、番組情報作成装置１からの求めに応じて送信され受信可能な映像をも含まれるものとする。また、受信部２５〜２７は、映像ライブラリ装置等のデータベースに蓄えられた映像の再生信号を受信する場合であってもよく、番組情報作成装置１に映像を取り込むことができる手段であればよい。また、図１では、受信手段２５〜２７を３個記載しているが、個数により限定されるものではない。さらに、インターネット放送の受信のように、外部インタフェース２０を受信手段として使用する場合には、受信部２５〜２７を用いない構成にすることも可能である。
【００１８】
メモリ１０は、ハードディスクに代表されるランダムアクセスメモリであり、管理部５で作成した番組情報を蓄積し、随時取り出すことが可能なものである。番組情報を蓄積し、随時取り出すことが可能であれば、ハードディスクに限られず、ＣＤ、ＤＶＤ、ＩＣメモリ等であってもよい。
【００１９】
外部インタフェース２０は、番組情報作成手段１の外部に番組情報を出力するための出力手段でもある。インタフェースの方式は、ビデオ出力や、ＲＳ−２３２Ｃのような一般的なシリアル方式や、バス形式のようなパラレル方式や、ＵＳＢ、ＬＡＮ等、方式により限定されるものではない。
【００２０】
次に、本実施例における番組情報作成装置の動作を説明する。例えば、受信部２５を用いてＡ放送局（ａチャンネル）の番組情報を作成する場合を説明する。まず、受信部２５が、Ａ放送局の放送を受信し、受信した映像を管理部５に送る。管理部５では、受信した連続する映像を所定のタイミングで静止画として抜き出して、サンプリング情報とする。所定のタイミングとは、設定値管理部１５に予め定められた値であり、図２の場合（図２上段）、１０分に定められており、１０分おきに受信した映像から静止画を抜き出している（○○時００分→○○時１０分→○○時２０分→・・・）。すなわち、１０分おきに抜き出されたサンプリング情報は、図２における、番組ａ１、番組ａ２・・・である。
【００２１】
次に、管理手段５は、抜き出した複数枚の静止画でなるサンプル情報と、Ａ放送局の情報（ａチャンネルである旨等）や実際の受信時間帯（日付を含む）の情報とを関連づけた番組情報を作成する。すなわち、この番組情報は、サンプリング情報（番組ａ１、番組ａ２・・・）及び該サンプリング情報に係る配信手段（Ａ放送局）の情報（ａチャンネル等）並びに受信時間帯（○○○○年○○月○○日○曜日）の情報からなる情報である。次に、管理手段５は、作成した番組情報を、メモリ１０に格納する。
【００２２】
メモリ１０に蓄積された番組情報は、管理部５の制御により、外部インタフェース２０やユーザーインタフェース２１を介して出力される。ユーザーインタフェース２１で出力される場合は、例えば、ユーザーインタフェース２１として設けられたディスプレイ（図示せず）に表示したりすることも可能である。また、外部インタフェース２０で、出力する場合、外部インタフェース２０に接続された外部の端末等により、番組情報の使用方法は異なってくる。例えば、外部インタフェース２０にテレビ受像器が接続されている場合には、番組情報がこのテレビ受像器に表示されることになる。また、外部の端末としてビデオデッキが接続されているような場合には、ビデオデッキに接続されたテレビ受像器に番組情報を表示することが出来ると共に、番組情報を元にビデオの予約録画を行うようにしてもよい。
【００２３】
尚、本実施例では、番組情報生成装置１と外部の端末とを別々の装置として説明したが、外部の端末に番組情報生成装置１を組み込んでしまうことも可能である。この場合、外部の端末が、番組情報生成装置１として動作すると共に、例えばビデオデッキとしても動作することになる。
【００２４】
また、上述の説明では、Ａ放送局の１チャンネル分の説明をしたが、図２に示すように、他の配信手段であるＢ放送局（ｂチャンネル）についても、番組情報をａチャンネルと同時に作成するようにできる。すなわち、Ｂ放送局（ｂチャンネル）に係る番組情報は、サンプリング情報（番組ｂ１、番組ｂ２・・・）及び該サンプリング情報に係る配信手段（Ｂ放送局）の情報（ｂチャンネル等）並びに受信時間帯（○○○○年○○月○○日○曜日）の情報からなる情報である。そして、受信手段の個数が限られないのと同様に、作成する番組情報の個数も限定されるものではない。
【００２５】
以上のように、過去に配信された映像を元に番組情報を作成することから、番組表がなくても番組の内容を示す番組情報を作成することができると共に、静止画又は動画によるサンプリング情報から番組の内容を視覚的に容易に把握することができる。また、実際に配信された映像を用いるため、番組表通りに番組が放送されなかった場合でも、実際に放送された番組の内容を正確に把握することができる。さらに、番組内部の各所の映像を抜き出すことにより、全体の雰囲気と共に、ユーザーは注目すべき山場のある範囲を容易に知ることができる。
【００２６】
また、受信部２５〜２７で受信した映像を、静止画として抜き出すのではなく、所定のタイミングに所定の期間に渡る動画として抜き出すことも可能である（図３）。例えば、図３で示すようなＣ放送局（ｃチャンネル）を受信した場合、所定のタイミングを１０分に定め、所定の期間を１０秒と定め、１０分おきに受信した映像から１０秒間だけ動画を抜き出している（○○時００分→○○時１０分→○○時２０分→・・・）。すなわち、○○時４０分にサンプリングした番組ｃ５の部分で説明すると、○○時４０分００秒（番組ｃ５（１））から○○時４０分１０秒までの動画が、サンプリング情報として抜き出されている（図３下段に拡大表示）。尚、管理部５のサンプリング情報の抜き出しにおいて、静止画としてだけ抜き出しを行ってもいいし、動画としてだけ抜き出しを行ってもいいし、静止画と動画とを混在させて抜き出しを行ってもよい。このように、サンプリング情報が動画の場合、静止画よりも一層番組の内容の把握が容易で、番組の雰囲気をも把握することが可能となる。
【００２７】
また、管理部５でサンプリング情報を抜き出すために用いるタイミング及び期間は、設定値管理部１５に予め定めておいてた時間としての値を用いる旨を説明しているものの、単に１０分おきの１０秒に限られるものではない。また、絶えず一定時間間隔で抜き出す場合に限られず、例えば、時間帯や曜日によってタイミングを変えたり、期間を変えたりしてもよく、タイミング及び期間は、任意に定めることができる。このタイミング及び期間は、設定値管理部１５に対して、ユーザーが外部インタフェース２０又はユーザーインタフェース２１を介して、任意に入力することができる。尚、設定したタイミング及び期間で管理部５を動作させるためには、基準となる時刻情報が必要となり、その時刻情報の生成等の管理を行うのが時刻管理部２２である。
【００２８】
また、サンプリング情報を抜き出すために用いるタイミング及び期間を、上述にような時間的に定める場合に限られず、受信した映像の内容により定めるようにしてもよい。例えば、シーンや文字等の特徴的な映像を指定しておき、該当するシーンを映像から抜き出すようにする。映像の内容により番組情報が作成されることになり、番組の中から視聴者が注目する映像（例えばニュースの中のスポーツコーナー等）のみに絞って情報を取得できることとなる。さらに、また、過去にさかのぼった映像による抜き出しの履歴情報等から、関心度・人気度等を計る場合に、番組の中の注目する映像（例えばニュースの中のスポーツコーナー、人気俳優の登場シーン等）という様に映像の意味に関する絞られた情報を取得できる。
【００２９】
以上のように、設定値管理手段である設定値管理部１５は、受信した映像やサンプリング情報に係る日付、チャンネル、シーンや文字等の特徴的な映像の情報等の番組要素情報を元にタイミング及び期間を定めることもできる。このように、映像を抜き出すタイミングや期間を番組要素情報から定めることができることで、ユーザーがタイミングや期間を設定する必要がなく、操作が容易である。
【実施例２】
【００３０】
図４は、本発明に係る番組情報作成装置の第２の実施例の構成を示す構成図である。
【００３１】
図において、本実施例の番組情報作成装置２は、実施例１に示す番組情報作成装置１と同様に、放送等された番組の映像から番組情報を作成するものである。番組情報作成装置２は、放送等を受信する受信手段である受信部２５〜２７と、装置全体の管理を行い番組情報を作成する管理手段である管理部６と、作成された番組情報を蓄積する蓄積手段であるメモリ１０と、蓄積された番組情報を出力等する出力手段であり、番組情報作成装置２の外部から入力するための外部インタフェース（図中では外部Ｉ／Ｆと記載）２０とからなる。また、番組情報作成装置２は、ユーザーが、直接装置に入力する入力手段や動作状況等を表示する表示手段等のユーザーインタフェース（図中ではユーザーＩ／Ｆと記載）２１を備えている。また、管理部６で使用する各種の設定値を管理する設定値管理部１６や、管理部６で使用する時刻情報を管理する時刻管理部２２を備えている。
【００３２】
また、外部インタフェース２０には、公衆回線やインターネット等の通信回線３５が接続され、通信回線３５を介して、外部端末３０や配信センター３１が接続されている。外部端末３０は、設定値管理部１６で管理する映像を抜き出すためのタイミングや期間を設定・変更するための端末である。また、外部端末３０が、既に放送等された映像の番組表（従来の新聞、雑誌等に掲載されている日時、チャンネル、番組タイトル等のテキスト情報）や、これから放送等される未来の番組情報を有し、これらの番組表を配信可能な端末である場合もある。外部端末３０の形態としては、コンピュータやサーバー等、タイミングや期間の設定・変更が可能な端末であればよい。配信センター３１は、過去に放送等された映像を圧縮等して録画・保存しているセンターである。尚、実施例１と同一名の構成要素は、実施例１で説明したものとほぼ同様であるので、以下、異なる機能等についてのみ説明する。
【００３３】
まず、外部端末３０により設定値管理部１６で用いるタイミングや期間を設定する場合を説明する。外部端末３０には、予めタイミングや期間に係る情報が納められているものとする。この納め方は、単にタイミングや期間の情報が具体的な数値として納められている場合もあれば、受信した映像の内容により設定値管理部１６がタイミングや期間を定めることが出来るように、実施例１で説明したような番組要素情報が納められている場合もあり、その形態により限定されるものではない。そして、管理部１６は、必要に応じて外部端末３０に対してタイミングや期間に係る情報を要求する。または、外部端末３０が一方的にタイミングや期間に係る情報を送ってくる場合もある。管理部６は、通信回線３５及び外部インタフェース２０を介して取得したタイミングや期間に係る情報を、設定値管理部１６に送る（図４太線矢印）。
【００３４】
タイミングや期間に係る情報を受け取った設定値管理部１６は、具体的なタイミングや期間を作成し、管理部６に対し映像からの抜き出しの指示を行う。このように、番組情報作成装置２以外のところからタイミングや期間に係る情報を設定出来ることにより、外出先等から番組情報の作成方法を変更することができる。また、外部端末３０がインターネット上のサーバー等の場合には、番組情報の作成方法をユーザーが管理せず、サーバー等に任せることも可能となり、ユーザーの管理が容易となる。
【００３５】
また、外部端末３０から未来の番組表等の番組要素情報が送られてくる場合には、過去の放送による番組情報と未来の番組要素情報とを結合して、未来の番組情報（予測番組情報）を作成することも可能となる。具体的には、管理部６が、メモリ１０に蓄積した過去の番組情報と、該番組情報と同一配信手段で同一時間帯の未来の番組要素情報とを結合して、予測番組情報を作成する。ここで、同一時間帯とは同一の曜日の同一の時間帯であったり、毎日放送されているような番組に対しては、前日の同一の時間帯である。作成される予測番組情報は、将来の特定の日時には、このような内容が放送されるであろうということを、静止画又は動画で示すものである。
【００３６】
このように、過去に放送された映像の番組情報と同一配信手段で同一時間帯の未来の番組要素情報とを結合して、予測番組情報を作成している。このため、番組表がなくても将来放送されるであろう放送の番組情報（予測番組情報）を作成することができると共に、静止画又は動画によるサンプリング情報から、これから配信されるであろう内容を視覚的に容易に予測することができる。
【００３７】
次に、配信センター３１が接続されている場合を説明する。例えば、１日〜１ヶ月単位の過去の動画像（圧縮）が配信センター３１に録画・保存されている場合、番組情報作成装置２は、この静止画及び動画を試し視聴する事により、受信部２５〜２７で受信したと同様に番組情報の作成を行う。または、番組情報作成装置２と配信センター３１とがそれぞれ別々に同じ放送を受信し、番組情報作成装置２では番組情報を作成し、配信センター３１では映像を録画・保存する。そして、作成された番組情報に基づき所望の静止画又は動画を配信センター３１の中から検索するように利用する。また、この検索による検索履歴を管理することで、検索履歴を元に視聴者の再放送の要求や過去の番組に対する関心度等の統計情報の取得が可能である。尚、番組情報作成装置２が、配信センター３１と一体となって１つの装置を構成する場合であってもよい。
【実施例３】
【００３８】
図５は、本発明に係る番組情報作成装置の第３の実施例を示す説明図である。
【００３９】
複数の番組情報から、所望の情報を作成する場合を図５を元に説明する。まず、通常の放送番組は、ニュース、連続ドラマ、シリーズもの、アニメの番組等において、１日又は１週間単位で決まった曜日・時間にて定期的に提供されている。従って、作成する１日〜１ヶ月単位の過去に遡った静止画又は動画により、ユーザーに新聞又は雑誌等に記載の番組表等を見なくても、これらの番組情報により未来の番組を予測可能な手段を提供できる（実施例１記載）。
【００４０】
しかしながら、急な番組の変更により、本来定期的に放送される番組が、特定の週（日）に限って放送されない場合もある。この場合、前回放送分のサンプリング情報を番組情報としたのでは、期待とは異なった静止画や動画が番組情報として蓄積されることになってしまう。このため、過去や現在の複数の番組情報を用いて、本当に求める番組情報を作成する方法を説明する。
【００４１】
まず、説明の時点が○○○○年○○月１２日（水曜日）だとし、図５（ａ）は、○○○○年○○月０５日（水曜日）の番組情報なので、過去のものである。次に、図５（ｂ）は、○○○○年○○月１２日（水曜日）の番組情報なので、現在のものである。そして、実際に作成しようとするのは、図５（ｃ）未来の番組情報（予測番組情報）であって○○○○年○○月１９日（水曜日）の番組情報である。
【００４２】
そして、来週の番組情報（図５（ｃ））を作成する場合、先週の番組番組情報（図５（ａ））のサンプリング情報を使用するのが望ましいか、今週の番組情報（図５（ｂ））のサンプリング情報を使用するのが望ましいかの判断を行う。具体的には、管理部５，６が、過去に遡った静止画又は動画の特定の日・時間における画像集合間の相互相関又は各々の画像の特徴値等を抽出し比較した結果が、設定する閾値を越える時、来週の同一曜日・時間の番組も同じ番組として特定する。
【００４３】
例えば、サンプリング情報である番組３−１を作成する場合、同一チャンネルで、同一曜日・同一時間のサンプリング情報である番組１−１と番組２−１とを、それぞれ閾値と比較し、いずれが所望のサンプリング情報であるかを判断する。所望のサンプリング情報と判断された方を、番組３−１とする。双方共に所望のサンプリング情報であった場合には、最新のサンプリング情報を用いるようにすればよい。このように、それぞれの時間における最適なサンプリング情報を選択し、来週の番組情報を作成していく。
【００４４】
このように、同一配信手段で同一時間帯の複数の番組情報を元に、所望の番組情報を作成することで、例えば前週に臨時ニュースやスポーツ中継などの変則的で望まない放送が行われていたときの番組情報を排除し、所望の番組情報のみを精度よく取得することができる。
【００４５】
尚、所望のサンプリング情報を選択する閾値及び選択方法等に係る特徴量抽出方法、特徴量抽出パラメータ、判定方法、判定パラメータ等は、適宜定められるもので特定のものに限定されるものではなく、外部インタフェース２０を介して、入力・変更が可能なものであってもよい。また、上述の説明では、先週の番組情報（図５（ａ））と今週の番組情報（図５（ｂ））の２つの番組情報から、来週の番組情報（図５（ｃ））を作成しているが、番組情報の数によって限定されるものではなく、いくつであってもかまわない。
【００４６】
また、外部端末から未来の番組表等の番組要素情報が送られてくる場合には、上述の方法で作成された来週の番組情報（図５（ｃ））と未来の番組要素情報とを結合して、未来の番組情報（予測番組情報）を作成することも可能となる。このように、複数の番組情報から、未来の番組情報を作成することで、過去の放送でユーザーが望まない臨時ニュース等の変則的な番組情報を排除し、所望の番組情報のみを精度よく取得することができる。また、同時に、番組表がなくても将来配信されるであろう放送の番組情報（予測番組情報）を作成することができると共に、静止画又は動画によるサンプリング情報から、これから配信されるであろう内容を視覚的に容易に予測することができる。
【００４７】
尚、番組情報作成装置１，２が他の番組情報作成装置１，２と通信を行い、それぞれが作成した番組情報の交換、移転等を行うような構成にしてもよい。
【産業上の利用可能性】
【００４８】
以上のように、本発明の番組情報作成装置は、外部インタフェース２０に接続された外部の端末が、あらかじめ放送局等から提供された映像を保存した映像ライブラリ装置の場合にも適用することができ、番組情報を元に、所望の映像情報を映像ライブラリ装置の中から検索するように利用してもよい。また、この検索による検索履歴を管理することで、検索履歴を元に視聴者の再放送の要求や過去の番組に対する関心度等の統計情報の取得が可能である。
【図面の簡単な説明】
【００４９】
【図１】本発明に係る番組情報作成装置の第１の実施例の構成を示す構成図である。
【図２】同番組情報作成装置の動作を示す説明図である。
【図３】同番組情報作成装置の他の動作を示す説明図である。
【図４】本発明に係る番組情報作成装置の第２の実施例の構成を示す構成図である。
【図５】本発明に係る番組情報作成装置の第３の実施例を示す説明図である。
【符号の説明】
【００５０】
１，２・・・・・番組情報作成装置
５，６・・・・・管理部
１０・・・・・・メモリ
１５，１６・・・設定値管理部
２０・・・・・・外部インタフェース
２１・・・・・・ユーザーインタフェース
２２・・・・・・時刻管理部
２５〜２７・・・受信部
３０・・・・・・外部端末
３１・・・・・・配信センター
３５・・・・・・通信回線
【図１】
2005184530.tif 000003
【図４】
2005184530.tif 000004
【図５】
2005184530.tif 000005
【図２】
2005184530.tif 000006
【図３】
2005184530.tif 000007